(57)【要約】      （修正有）【課題】冷媒漏れを防止し、且つ丈夫な構造を備えた、二重密封回転ドラム式雪状氷製造機を提供する。【解決手段】回転ドラム１と、冷媒導管２と、密封蓋３と、密封部品４と、少なくとも一つの密封カバー５３とからなる。回転ドラムの一端は閉じており、他端には開口１１が形成され、開口には冷媒導管が挿し込まれる。回転ドラムは一つの開口を有した封鎖状の容器であり、開口部分に設けられた密封蓋と密封部品によって密封性が高められることにより、冷媒の漏出を最小に抑えることが出来る。また、密封カバーによって冷媒の高圧衝撃を抑えることにより、機械構造の損害を防ぐことが出来る。【選択図】図１
0003202294.tif 000002
【実用新案登録請求の範囲】
【請求項１】
回転ドラムと、密封蓋と、密封部品と、少なくとも一つの密封カバーとからなる、二重密封回転ドラム式雪状氷製造機であって、
前記回転ドラムは、冷媒を流通させるために用いられるとともに、前記回転ドラム一端は閉じており、且つ他端には開口が形成され、
前記開口には、冷媒導管が挿設され、
前記密封蓋は、前記回転ドラムにおける前記冷媒導管が挿設された側の面に設けられるとともに、前記密封蓋は前記冷媒が漏れないように前記冷媒導管に嵌められ、
前記密封部品は、前記回転ドラムと前記密封蓋の間に設けられるとともに、前記冷媒が漏れないように前記冷媒導管に嵌められ、
前記密封カバーは、冷媒の高圧衝撃を抑えるために、前記冷媒導管に嵌められ且つ前記密封部品と当接するように設けられることを特徴とする、二重密封回転ドラム式雪状氷製造機。
【請求項２】
前記冷媒導管は、前記冷媒を前記回転ドラム内に注入するための外側導管と、前記外側導管内に設けられるとともに前記回転ドラム内の前記冷媒を排出するための内側導管とからなり、
前記密封蓋と前記冷媒導管の間には、前記回転ドラムがスムーズに回転するように、少なくとも一つの第一回転軸受が設けられ、
前記密封部品と前記冷媒導管の間には、前記回転ドラムがスムーズに回転するように、少なくとも一つの第二回転軸受が設けられることを特徴とする、請求項１に記載の二重密封回転ドラム式雪状氷製造機。
【請求項３】
前記開口には、前記密封部品の一部分が前記回転ドラム内に入るように挿し込まれ、
前記密封蓋は、前記密封部品における前記開口と逆側の面に設けられ、
前記回転ドラムにおける前記開口と逆側の面には、支持棒が延伸して形成され、
更に、前記雪状氷製造機には、支持台座が設けられ、
前記支持台座の側辺には、前記回転ドラムがスムーズに回転するように、前記冷媒導管が固定挿設されるための固定リングが設けられ、
前記支持台座の他側辺には、前記回転ドラムがスムーズに回転するように、前記支持棒が可動に挿設されるための転がり軸受が設けられ、
更に、前記支持台座の一側には、動力部品が設けられ、
前記動力部品は、前記回転ドラムを回転させるために、前記支持棒と動力的に連動し、
前記動力部品と前記支持棒の間には、動力を伝えるための連動部品が設けられ、
前記支持台座の一側辺には、製氷原料を入れておくための収容部と、前記回転ドラムの位置と対応するとともに前記回転ドラム表面上の氷状物を取り下ろすための氷削部が設けられることを特徴とする、請求項１に記載の二重密封回転ドラム式雪状氷製造機。
【請求項４】
更に、前記密封部品内には、弾性伸縮部品が設けられ、
前記弾性伸縮部品の側辺には、第一漏れ止めリングが設けられ、
前記第一漏れ止めリングにおける前記弾性伸縮部品と逆側の面には、第二漏れ止めリングが設けられ、
更に、前記弾性伸縮部品・前記第一漏れ止めリング・前記第二漏れ止めリングは、前記冷媒導管上に嵌められるとともに、前記密封部品と前記密封蓋によって囲まれたスペース内に収容され、且つ冷媒が漏れないように、前記弾性伸縮部品によって前記第一漏れ止めリングと前記第二漏れ止めリングが圧迫され、
前記密封蓋と前記密封部品の間には、冷媒が漏れないように、少なくとも一つの第一密封リングが設けられ、
前記密封部品と前記回転ドラムの間には、冷媒が漏れないように、少なくとも一つの第二密封リングが設けられることを特徴とする、請求項１に記載の二重密封回転ドラム式雪状氷製造機。
【請求項５】
更に、前記雪状氷製造機内には、少なくとも一つの収容スペースが設けられることを特徴とする、請求項１に記載の二重密封回転ドラム式雪状氷製造機。
【考案の詳細な説明】
【技術分野】
【０００１】
本考案は、冷媒漏れを防ぎ、且つ丈夫な構造を備えた、二重密封回転ドラム式雪状氷製造機に関する。
【背景技術】
【０００２】
中華民国特許Ｍ４９４２８４号明細書に開示されている従来の雪状氷製造機は、冷媒管が回転ドラムの中心における枢軸として設けられるとともに、回転ドラムが中空且つ両端開口の構造を備えている。これにより、冷媒管がスムーズに回転ドラムに貫設されるとともに、外部動力によって回転ドラムが回転し、且つ回転過程において冷媒が回転ドラム内に注入されることで、回転ドラムの表面が低温状態になって雪状氷が作られる。また更に、使用後の冷媒は循環して再利用される。即ち、回転ドラムの他端から排出されて循環した冷媒が再び低温状態を作り出すことで、雪状氷が作られる。
【０００３】
しかし、上述の雪状氷製造機は、使用時において以下の問題がある。
１．回転ドラムの両端がいずれも開口しているため、冷媒漏れの確率が高い。
２．一定期間使用されると、軸受の老化や摩損が避けられず、このために回転ドラムがずれて、回転ドラムと冷媒管の間の隙間が広がって、冷媒漏れを招いてしまうことがある。
３．冷媒の高圧衝撃で、機械の回転構造が衝撃を受けやすく、このために回転にズレが生じたり、構造の破損による冷媒漏れを招いたりする。
【先行技術文献】
【特許文献】
【０００４】
【特許文献１】中華民国特許Ｍ４９４２８４号明細書
【考案の概要】
【考案が解決しようとする課題】
【０００５】
よって、本考案は、冷媒漏れや機械構造の破損を防止することが出来る、二重密封回転ドラム式雪状氷製造機を提供することを目的とする。
【課題を解決するための手段】
【０００６】
上述の目的を達成するために、本考案は、回転ドラムと、冷媒導管と、密封蓋と、密封部品と、少なくとも一つの密封カバーとからなる。前記回転ドラムは、冷媒を流通させるために用いられるとともに、回転ドラムの一端は閉じており、他端は開口している。前記冷媒導管は、開口から回転ドラム内に挿設される。前記密封蓋は、回転ドラムにおける冷媒導管が挿設された側辺に設けられるとともに冷媒導管に嵌められる。前記密封部品は、回転ドラムと密封蓋の間に設けられるとともに冷媒導管上に嵌められる。前記密封カバーは、冷媒導管上に嵌められるとともに密封部品と当接する。
【０００７】
更に、組立てられた上述の構造は、雪状氷製造機と結合されて回転するとともに、冷媒が冷媒導管を通って回転ドラム内に注入される。この時、回転ドラムは単一開口で片側が閉じた構造であるため、冷媒漏れの確率を下げることが出来る。加えて、密封蓋と回転ドラムの間に設けられた密封部品によって冷媒漏れが防止されるとともに、冷媒導管と密封部品の接触部分に嵌められた密封カバーによって内部構造が保護される。
【図面の簡単な説明】
【０００８】
【図１】本考案の回転ドラムの構造を示した断面図である。
【図２】本考案における冷媒の流動を示した概略図である。
【図３】本考案において支持台座を結合した際の側方視断面図である。
【図４】本考案における雪状氷製造時の動作を示した概略図である。
【図５】本考案の実施例２における収容スペースを示した概略図である。
【考案を実施するための形態】
【０００９】
（実施例１）
図１〜４を参照する。本考案は、回転ドラム１と、密封蓋３と、密封部品４と、少なくとも一つの密封カバー５３とからなる。
【００１０】
回転ドラム１は、冷媒を流通させるために用いられるとともに、回転ドラム１一端は閉じており、他端には開口１１が形成される。開口１１には、冷媒導管２が挿設される。
【００１１】
密封蓋３は、回転ドラム１における冷媒導管２が挿設された側辺に設けられるとともに、密封蓋３は冷媒導管２に嵌められて冷媒漏れを防止する。
【００１２】
密封部品４は、回転ドラム１と密封蓋３の間に設けられるとともに、冷媒導管２に嵌められて冷媒漏れを防止する。
【００１３】
密封カバー５３は、冷媒導管２上に嵌められるとともに密封部品４と当接して冷媒の高圧による衝撃を抑える。
【００１４】
このうち、密封蓋３と冷媒導管２の間には、少なくとも一つの第一回転軸受６１が設けられ、密封部品４と冷媒導管２の間には、少なくとも一つの第二回転軸受６２が設けられることにより、回転ドラム１の回転がスムーズになる。
【００１５】
上述した開口１１には、密封部品４の一部が挿入されて回転ドラム１内に入る。また、密封蓋３は、密封部品４における開口１１と逆側の面に設けられる。回転ドラム１における開口１１と逆側の面には支持棒１２が延伸して形成される。
【００１６】
上述した雪状氷製造機には、更に支持台座７が設けられる。支持台座７の側辺には、冷媒導管２が固定挿設されるための固定リング７１が設けられ、支持台座７の他側には、支持棒１２が可動に挿設されるための転がり軸受７２が設けられることにより、回転ドラム１の回転がスムーズになる。
【００１７】
更に、支持台座７の一側には、動力部品８１が設けられる。動力部品８１は、支持棒１２と動力的に連動するとともに、回転ドラム１を回転させる。また、動力部品８１と支持棒１２の間には、動力を伝えるための連動部品８２が設けられる。
【００１８】
上述した冷媒導管２の一部分は、開口１１から回転ドラム１内に挿し込まれ且つ回転ドラム１を貫通しないように設けられる。更に、冷媒導管２は、高圧冷媒を回転ドラム１内に注入するための外側導管２１と、外側導管２１内に設けられて回転ドラム１内の低圧冷媒を排出するための内側導管２２とからなる。
【００１９】
また、密封部品４内には、弾性伸縮部品４１が設けられる。弾性伸縮部品４１の側辺には、第一漏れ止めリング４２が設けられ、第一漏れ止めリング４２における弾性伸縮部品４１と逆側の位置には第二漏れ止めリング４３が設けられる。また、弾性伸縮部品４１・第一漏れ止めリング４２・第二漏れ止めリング４３は、冷媒導管２上に嵌められるとともに、密封部品４と密封蓋３によって囲まれたスペース内に収容され、且つ弾性伸縮部品４１によって第一漏れ止めリング４２と第二漏れ止めリング４３が圧迫されることにより冷媒漏れを減らすことが出来る。
【００２０】
加えて、密封蓋３と密封部品４の間には、少なくとも一つの第一密封リング５１が設けられ、密封部品４と回転ドラム１の間には、少なくとも一つの第二密封リング５２が設けられることにより、効果的に冷媒漏れを減らすことが出来る。
【００２１】
また、支持台座７の一側には、製氷原料を収容しておくための収容部７３が設けられ、支持台座７における回転ドラム１と対応する位置には、回転ドラム１表面上の氷状物を取り下ろすための氷削部７４が設けられる。冷媒導管２の一部分は、開口１１から回転ドラム１内に挿し込まれ、且つ回転ドラム１を貫通しないように設けられる。密封カバー５３は、Ｏ字型の密封リングである。
【００２２】
従来の構造では、両端にいずれも連通口が設けられていたため、冷媒漏れの問題が起こりやすかった。しかし、本考案では、回転ドラム１は単一の開口１１しか有しておらず、他端は閉じた構造であるため、冷媒漏れの確率を下げることが可能である。
【００２３】
更に、密封蓋３と回転ドラム１の間には、密封部品４が設けられることにより、漏出防止効果をより一層向上させる。また、弾性伸縮部品４１と漏れ止めリング４２の働きにより、冷媒漏れの可能性を更に下げることが出来る。
【００２４】
また同時に、第一回転軸受６１・弾性伸縮部品４１・第一漏れ止めリング４２・第二漏れ止めリング４３・第二回転軸受６２は、いずれも同軸となるように冷媒導管２上に嵌められているため、冷媒導管２が回転ドラム１及び支持棒１２と軸ズレを起こすことがなく、振動やブレ、漏出を減少させることが出来る。
【００２５】
密封部品４（及び内部の機械部品及び対応する構造も含む）を保護するために、密封部品４と冷媒導管２の間には、更に冷媒（高圧）の衝撃を抑えるための密封カバー５３が設けられる。尚、冷媒が回転ドラム１から排出される時には、二箇所から排出される可能性がある。一つ目は、内側導管２２から排出されるという、正しい方法である。二つ目は、密封部品４と冷媒導管２の間における隙間から排出されるという、誤った方法であり、隙間から排出される時に、密封部品４内の対応する構造が破損して、弾性伸縮部品４１が過度に圧迫されてズレが生じることがあり、更には冷媒漏れを招いてしまう。しかし、本考案では、密封カバー５３が設けられることにより、上述の二つ目の排出方法を防ぐことが出来るため、冷媒漏れ防止と丈夫な構造を備えるという目的が達成される。
【００２６】
雪状氷製造機の作動時、冷媒（高圧）は外側導管２１から回転ドラム１内に注入されるとともに、使用後の冷媒（低圧）は内側導管２２を経由して回転ドラム１から排出される。動力部品８１が連動部品８２を通して支持棒１２に回転力を与えることにより、回転ドラム１が回転する。この時、支持台座７・転がり軸受７２・第二回転軸受６２・第一回転軸受６１・弾性伸縮部品４１・第一漏れ止めリング４２・第二漏れ止めリング４３・固定リング７１・冷媒導管２が構造的に働き合うことにより、回転ドラム１がスムーズに回転する。回転ドラム１の外表面は、冷媒の影響を受けて低温状態となるため、収容部７３内の液体と接触すると、冷やされた液体が回転ドラム１の外表面上に一層の氷状物を形成する。氷状物は、回転ドラム１の回転に沿って氷削部７４まで至るとともに、氷削部７４によって掻き落とされる。掻き落とされた氷状物は雪状になって、使用者に取り出されるまで雪状氷製造機内に集積される。
【００２７】
（実施例２）
図５を参照する。実施例２において、雪状氷製造機内には少なくとも一つの収容スペース９ａが設けられる。
【符号の説明】
【００２８】
１回転ドラム
１１開口
１２支持棒
２冷媒導管
２１外側導管
２２内側導管
３密封蓋
４密封部品
４１弾性伸縮部品
４２第一漏れ止めリング
４３第二漏れ止めリング
５１第一密封リング
５２第二密封リング
５３密封カバー
６１第一回転軸受
６２第二回転軸受
７支持台座
７１固定リング
７２転がり軸受
７３収容部
７４氷削部
８１動力部品
８２連動部品
９ａ収容スペース
【図１】
0003202294.tif 000003
【図２】
0003202294.tif 000004
【図３】
0003202294.tif 000005
【図４】
0003202294.tif 000006
【図５】
0003202294.tif 000007